(57)【特許請求の範囲】
【請求項１】
スラットカーテンを形成するスラットの一方の面に配設され、先端部が前記スラットの側端より突出して前記スラットカーテンの側部を案内するガイドレール内の係合部に係合するロックバーが前記スラットに沿ってその係合位置と収納位置に摺動自在となって設けられており、ロックバーは、左右一対にて構成され、前記スラットの左右側部にそれぞれ摺動自在に設けられた建造物のシャッター用施錠装置において、
前記左右一対のロックバー（７，７）の夫々にピン（１４，１４）により連結された左右一対のスライド部材（１３，１３）と、
前記左右一対のスライド部材（１３，１３）の間に取り付けられ、前記左右一対のロックバー（７，７）の先端部が前記スラットの側端より常に突出するように付勢する付勢部材（１５）と、
前記ロックバー（７，７）の摺動方向と直交する方向であって、前記スラットカーテン（２）の開閉方向と同方向に摺動自在となっている作動片（１６）と、
前記作動片（１６）に形成された案内部（１９）を有し、作動片（１６）を摺動操作させることにより、案内部（１９）の斜辺（２０）が前記ピン（１４，１４）と当接して該ピンを移動させ、前記付勢部材（１５）の付勢力に抗して各ロックバー（７，７）の先端部を前記スラットの側端より後退させる直動カム機構部と、を具備することを特徴とするシャッター用施錠装置。
【請求項２】
前記左右一対のスライド部材（１３，１３）は、直方ブロック状に形成されているとともに、その一側面に前記ピン（１４，１４）が突設され、矩形板状のベース枠（１０）の裏面に水平方向に形成された案内溝（１１）内に、前記ピン（１４，１４）を突出させた状態で、摺動自在に装着されていることを特徴とする請求項１に記載のシャッター用施錠装置。
【請求項３】
前記施錠装置は、スラットカーテン下端のスラットを構成する幅木（４）に配設され、前記作動片（１６）は、上端縁に水平な把手部（１７）を有した断面略逆Ｌ字状の板部材であり、把手部（１７）を押し下げることにより解錠可能としたことを特徴とする請求項１又は２に記載のシャッター用施錠装置。
【発明の詳細な説明】
【０００１】
【発明の属する技術分野】
本発明は、住宅などの建造物の窓部に配設される窓シャッターなどに用いられるシャッター用施錠装置に関するものである。
【０００２】
【従来の技術】
住宅などの建物の窓部に配設される窓シャッターには、スラットカーテンを構成するスラットの最下段に連結される幅木に施錠装置が設けられる。
従来では、この施錠装置は、幅木の屋内側の面に配設され、幅木の左右側端より先端が突出する摺動自在な左右一対のロックバーと、これらロックバーの各基端にそれぞれ連結される連結バーと、各連結バーを連結する操作バーとで大略構成され、各バーをリンク状に連結することで、操作バーの揺動により各ロックバーを摺動させる構造となっており、各ロックバーにはコイルバネが連結されて、常にこれらロックバーを幅木の側端から突出させるようになっている。
【０００３】
そして、スラットカーテンの側部を案内するガイドレールの下端近傍に設けられた係合凸部に、両ロックバーが係合することでスラットカーテンの閉鎖状態を保持し、すなわち施錠となり、スラットカーテンを開放する際には、操作バーを揺動させて、ロックバーを後退させ係合凸部との係合状態を解き、すなわち解錠とし、スラットカーテンを上昇させることで行うようになっている。
【０００４】
【発明が解決しようとする課題】
しかしながら、上述した従来のシャッター用施錠装置では、解錠操作としてのロックバーを幅木内に後退させる操作が、操作レバーの揺動によるものであり、スラットカーテンの開閉時の方向、すなわち昇降方向とは略直交する方向に揺動させてスラットカーテンの開閉動作を行うために、スラットカーテンの開閉操作が行い難いという欠点があった。
【０００５】
また、この従来の施錠装置は、リンク機構で構成されていることから、部品点数が多く、各部を連結させるための工程が煩雑となり生産性が低いという問題があった。
【０００６】
そこで本発明は、上記問題点を解消するために、簡素な構造で、廉価に製作ができ、容易に確実な施解錠操作を行うことのできるシャッター用施錠装置を提供することを目的としている。
【０００７】
【課題を解決するための手段】
次に、上記の課題を解決するための手段を、実施の形態に対応する図面を参照して説明する。
この発明のシャッター用施錠装置１は、スラットカーテンを形成するスラットの一方の面に配設され、先端部が前記スラットの側端より突出して前記スラットカーテンの側部を案内するガイドレール内の係合部に係合するロックバーが前記スラットに沿ってその係合位置と収納位置に摺動自在となって設けられており、ロックバーは、左右一対にて構成され、前記スラットの左右側部にそれぞれ摺動自在に設けられた建造物のシャッター用施錠装置において、前記左右一対のロックバー（７，７）の夫々にピン（１４，１４）により連結された左右一対のスライド部材（１３，１３）と、前記左右一対のスライド部材（１３，１３）の間に取り付けられ、前記左右一対のロックバー（７，７）の先端部が前記スラットの側端より常に突出するように付勢する付勢部材（１５）と、前記ロックバー（７，７）の摺動方向と直交する方向であって、前記スラットカーテン（２）の開閉方向と同方向に摺動自在となっている作動片（１６）と、前記作動片（１６）に形成された案内部（１９）を有し、作動片（１６）を摺動操作させることにより、案内部（１９）の斜辺（２０）が前記ピン（１４，１４）と当接して該ピンを移動させ、前記付勢部材（１５）の付勢力に抗して各ロックバー（７，７）の先端部を前記スラットの側端より後退させる直動カム機構部と、を具備することを特徴としている。
上記の構成において、前記左右一対のスライド部材（１３，１３）は、直方ブロック状に形成されているとともに、その一側面に前記ピン（１４，１４）が突設され、矩形板状のベース枠（１０）の裏面に水平方向に形成された案内溝（１１）内に、前記ピン（１４，１４）を突出させた状態で、摺動自在に装着されている構成とすることができる。
さらに、上記の構成において、前記施錠装置は、スラットカーテン下端のスラットを構成する幅木（４）に配設され、前記作動片（１６）は、上端縁に水平な把手部（１７）を有した断面略逆Ｌ字状の板部材であり、把手部（１７）を押し下げることにより解錠可能とした構成とすることができる。
【０００８】
このような構成によれば、作動片１６を摺動させることで、ガイドレール３０内にて係合部３１と係合しているロックバー７の先端部７ａが、直動カム機構部によってスラット３（４）の側端より後退し、収納位置となり、係合状態が解かれて解錠状態となる。
これによりスラットカーテン２は開閉操作が行える。
【０００９】
【発明の実施の形態】
図１は本発明によるシャッター用施錠装置の実施の形態を示す分解斜視図、図２は同施錠装置の一部裁断正面図である。
【００１０】
この発明のシャッター用施錠装置１は、スラットカーテン２を形成するスラット３の最下端に位置する略逆Ｔ字状の幅木４に配設される。
【００１１】
この幅木４は、他のスラット３と連結される垂直板部５の屋内側となる一方の面５ａに、図１及び図３に示すように、奥拡がりな断面形状の摺動溝６が幅木４の長手方向（左右幅方向）に沿って形成されている。
なお、図３に示すように、摺動溝６内には、長手方向に沿って突条６ａが複数形成され、後述するロックバー７の摺動時の摩擦が軽減されるようになっている。
【００１２】
次に、施錠装置１は、ロックバー７と、作動片１６を具備する操作部９とで大略構成される。
【００１３】
ロックバー７は、図１及び図２に示すように、長尺な平板状に形成されるとともに、左右一対で構成され、幅木４の屋内側となる一方の面５ａの摺動溝６内に、摺動自在に配設される。
【００１４】
各ロックバー７の先端部７ａは、下縁側が１／４円状に湾曲形成され、これら先端部７ａが幅木４の側端４ａよりそれぞれ突出するようになっている。
また、各ロックバー７の基端部７ｂには、図１に示すように、板面に直交する貫通孔８がそれぞれ穿設され、後述する操作部９のスライド部材１３が取り付けられるようになっている。
【００１５】
次に、操作部９は、図１に示すように、ベース枠１０と、スライド部材１３と、付勢部材１５と、作動片１６と、枠体２２と、で構成されている。
【００１６】
ベース枠１０は、矩形板状に形成されるとともに、裏面１０ａに、水平方向に長尺に形成され、長手方向両端に規制部１１ａを有した案内溝１１が形成されている。
また、このベース枠１０の表面１０ｂには、溝状の凹部１２が形成されている。
【００１７】
次に、スライド部材１３は、図１に示すように、左右一対で構成され、それぞれ直方ブロック状に形成されているとともに、長手方向中途部の一側面にピン１４が突設されている。
【００１８】
各スライド部材１３は、ベース枠裏面１０ａの案内溝１１内に、ピン１４を突出させた状態でこの案内溝１１に沿って摺動自在に装着されている。
【００１９】
また、これらスライド部材１３には、互いに対向する端面に係合凹部１３ａが形成されている。
これら対向する係合凹部１３ａ間には、付勢部材としての圧縮コイルスプリング１５が取り付けられている。
【００２０】
すなわち、これらスライド部材１３，１３は、圧縮コイルスプリング１５の付勢力によって、互いに反発する外方向へ付勢され、案内溝１１内の長手方向両端にそれぞれ位置し、各規制部１１ａに当接するようになっている。
【００２１】
次に、作動片１６は、図１に示すように、上端縁に水平な把手部１７を有した断面略逆Ｌ字状の板部材で、垂直な摺動板部１８の下縁１８ａには、略Ｖ字形状の案内部１９が一対切欠形成されている。
【００２２】
これら案内部１９は、斜辺２０と垂直辺２１とで構成され、中心から互いに対称となるように、垂直辺２１同士を近接させ斜辺２０を左右縁部側とし、各斜辺２０が下縁に向かって互いに離脱するように設定されている。
【００２３】
そして、この作動片１６は、ベース枠１０の裏面１０ａに重合されるとともに、各案内部１９の斜辺２０に、それぞれスライド部材１３のピン１４の基端側外周面が当接するようになっており、通常の状態では、斜辺２０の下縁１８ａ側がピン１４と当接している。
【００２４】
なお、この作動片１６は、幅長がベース枠１０の幅長よりやや短く設定されるとともに、各案内部１９がスライド部材１３に当接した状態では、図３に示すように、ベース枠１０の上方に把手部１７が位置するようになっている。
【００２５】
次に、枠体２２は、図１に示すように、ロ字状に枠組みされ中央が開口した形状とされているとともに、左右縦枠２３ａ，２３ｂの上部表面側には側方ガイド部２４が突設され、また、下枠２３ｃは、略水平な板状に形成されている。
また、この枠体２２の左右縦枠２３ａ，２３ｂの開口縁となる内側には、フランジ状の支持条片２５が突設されている。
【００２６】
なお、この枠体２２の幅長は、前記ベース枠１０と同幅に形成され、また側方ガイド部２４の間隔幅は、作動片１６の幅長と略同幅とされている。
【００２７】
そして、この枠体２２には、ベース枠１０が固定されるが、互いに結合した際に、作動片１６を挟持するようになる。
すなわち、枠体２２の下枠２３ｃの上面と側方ガイド部２４の下面との間に、ベース枠１０が嵌合するように取り付けられるとともに、ベース枠１０の裏面１０ａと枠体２２の表面２２ａとの間に作動片１６の垂直な摺動板部１８が介在されるようになり、この摺動板部１８の左右側縁部が枠体２２の支持条片２５に支持され、作動片１６が枠体２２とベース枠１０との間を上下に摺動自在となるようになっている。
【００２８】
また、枠体２２とベース枠１０とを取り付けた状態では、図３に示すように、各スライド部材１３のそれぞれのピン１４の先端が枠体２２の裏面２２ｂより突出するようになっている。
【００２９】
そして、この操作部９は、枠体裏面２２ｂより突出した各スライド部材１３のピン１４が、左右のロックバー７の基端７ｂの貫通孔８に挿着されて、幅木４の一方の面にネジなどの固定手段２６にて固定される。
【００３０】
なお、本実施の形態では、この固定手段２６としては、図３に示すように、幅木４の摺動溝６に並設されている取付溝２７に、ネジ孔が形成されている固定板２８を挿入し、ベース枠１０と枠体２２とを貫通するネジ２６にて、この固定板２８に螺着させることで、幅木４に固定するようになっている。
【００３１】
次に、以上のような構成のシャッター用施錠装置の動作について説明する。
まず、この施錠装置１は、通常の状態では、圧縮コイルスプリング１５の付勢力によって、スライド部材１３が案内溝１１内の左右両端に位置し、作動片１６が上昇状態とされている。
そして、左右の各ロックバー７の先端部７ａが、ガイドレール３０内に位置する幅木４の左右両側端４ａから突出している。
【００３２】
スラットカーテン２が降下した閉鎖状態では、突出している左右ロックバー７の先端部７ａが、図２に示すように、ガイドレール３０内の下端近傍に突設された係合部３１に係合し、上昇方向の規制が行われて閉鎖状態が保たれ、すなわち施錠状態となっている。
【００３３】
次に、スラットカーテン２を開放するには、まず、操作部９の把手部１７をベース枠１０の方向に押し下げ、作動片１６を降下させる。
なお、この作動片１６の押し下げの際に、把手部１７と、ベース枠表面１０ｂの凹部１２とに指を掛け、各間を縮めるように掴む動作としてもよい。
【００３４】
すると、図４に示すように、作動片１６に形成された各案内部１９の各斜辺２０，２０の下縁側にそれぞれ当接している各ピン１４，１４が、斜辺２０の垂直移動、すなわち左右の斜辺２０間の間隔が短縮されるに伴い、案内溝１１に沿って、互いに内方向に向かって水平移動を行う。このとき、各ピン１４を互いに反発する外方向へと付勢させている圧縮コイルスプリング１５の付勢力に抗して作動片１６を押し下げることになる。
【００３５】
すなわち、水平方向に摺動案内されるピン１４（スライド部材１３）と、このピン１４の摺動方向と直交する垂直方向に摺動自在な斜辺２０とで直動カム機構部を構成し、斜辺２０の移動に対してスライド部材１３が水平方向に直線移動するようになっている。
【００３６】
これにより、各ピン１４に連結された各ロックバー７が互いに内方向に摺動移動し、幅木４の左右側端４ａより突出した先端部７ａを後退させ、幅木４内に収納状態とさせる。
【００３７】
ロックバー７の先端部７ａが収納状態とされると、ガイドレール３０内の係合部３１との係合状態が解かれ、すなわち解錠状態とされるので、スラットカーテン２は上昇可能となり、スラットカーテン２は巻き取られ、開放となる。
【００３８】
なお、作動片１６の把手部１７より手を離すと、左右の各スライド部材１３が圧縮コイルスプリング１５による付勢力で案内溝１１内の長手方向両端の位置に復帰することによる各ピン１４の互いに反発する外方向への移動によって、斜辺２０を介して作動片１６が垂直な上方向に移動され、初期の状態へと戻ることとなり、各ロックバー７は再び幅木４の側端４ａより突出する。
【００３９】
また、スラットカーテン２が巻き取られて収納ケース（図示せず）内に収納されている状態（開放状態）から、巻き戻されて下降する閉鎖動作となる場合では、左右各ロックバー７の先端部７ａは幅木４の側端４ａより突出した状態でガイドレール３０に案内され下降となる。
【００４０】
そして、スラットカーテン２の閉鎖時では、幅木４の側端４ａより突出している左右各ロックバー７の先端部７ａが、その下縁の湾曲部分によって、ガイドレール３０内に突出している係合部３１を乗り越えるように、ロックバー７を後退させたのち、この係合部３１に係合し施錠となる。
【００４１】
従ってこのように構成されたシャッター用施錠装置１では、ロックバー７を幅木４内に後退させ解錠とさせる操作が、直動カム機構部を介する作動片１６の押し下げによって行われることとなり、すなわち、その操作方向がスラットカーテン２の昇降方向と同方向とされるので、スラットカーテン２の開閉動作に違和感がない。
【００４２】
特に、この施錠装置１が幅木４に配設される場合では、この施錠装置１の操作部９が床に近い位置となるが、従来腰をかがめて行っていた解錠操作を、足による押し下げ操作にて解錠を行うことも可能となるので、操作が楽になる。
【００４３】
また、この施錠装置１によれば、スライド部材１３を介して互いに相対する外方向に付勢させる付勢部材としての圧縮コイルスプリング１５と、このスプリング１５の付勢力に抗してスライド部材１３間の間隔を縮める作動片１６との構成がユニット化されており、簡素な構造で実現できたので、容易にかつ廉価に製作を行うことができ、また、既存のシャッターなどへの取り付けも行うことが可能となる。
【００４４】
なお、上述した実施の形態では、操作部９における作動片１６を押し下げることでロックバー７を幅木４の側端４ａより後退させ係合状態を解く例について述べたが、この操作部９の作動片１６を押し上げる構造とし、これによりロックバー７が後退する構成としてもよい。
これは、上述した操作部９を逆さに取り付けることで実現でき、この場合、スラットカーテン２の上昇方向すなわち開放方向と同方向に作動片１６の操作が行え、解錠操作と開放操作を同時に行うことが可能となる。
【００４５】
また、上述した実施の形態では、スラットカーテン２の最下端に位置する幅木４に配設させる構成について述べたが、この施錠装置１が配設される位置は幅木４に限ることがなく、例えばスラットカーテン２の中間部分に位置するスラット３などに配設する構成としてもよい。
【００４６】
さらに、上述した実施の形態によれば、直動カム機構部を構成するスライド部材１３のピン１４と作動片１６の斜辺２０との組み合わせは、図５に示すようなＶ字状に斜辺２０を隣り合わせた作動片１６と、引張コイルバネ（図示せず）で基端部７ｂを連結されたロックバー７との組み合わせや、図６に示すように作動片１６にスリット状に形成した斜辺２０を設け、このスリット２０内にスライド部材１３のピン１４を摺動自在とさせる組み合わせとしてもよい。
【００４７】
また、上述した実施の形態の施錠装置１では、付勢部材１５の付勢力によって常にロックバー７を幅木４の側端から突出させる構成とされているが、図７に示すように、作動片１６の案内部１９に形成される斜辺２０に、ピン１４が係合する垂直な辺部２０Ａを連続形成させることで、斜辺２０によって移動するピン１４をこの辺部２０Ａの位置とさせれば、ロックバー７を後退した収納状態で保持することが可能となり、閉鎖状態で施錠が行えない鍵機構のない電動シャッターの施錠装置としても使用でき、もちろんこの場合も既存の電動シャッターに対して組付けることが可能である。
【００４８】
さらに、図８に示すように、それぞれの斜辺２０を略く字状に形成させた作動片１６とすれば、作動片１６の移動方向が上下いずれの方向であっても各ロックバー７の後退・解錠を行うことができ、使用者の操作方法を限定することがない。
【００４９】
【発明の効果】
以上説明したように本発明によるシャッター用施錠装置では、ロックバーをスラット内に後退させ解錠とさせる操作が、直動カム機構部を介する作動片の押し下げによって行われることとなり、すなわち、その操作方向がスラットカーテンの昇降方向と同方向とされるので、スラットカーテンの開閉動作に違和感がないという効果がある。
【００５０】
特に、この施錠装置がスラットカーテンの最下端に連結される幅木に配設される場合では、この施錠装置が床に近い位置となるが、従来腰をかがめて行っていた解錠操作を、足による押し下げ操作にて解錠を行うことも可能となるので、操作が楽になるという効果がある。
【００５１】
また、この施錠装置によれば、ロックバーに備えられこのロックバーを突出する方向に付勢させる付勢部材と、この付勢部材の付勢力に抗してロックバーを後退させる作動片との構成をユニット化することができ、簡素な構造で実現することができるので、容易にかつ廉価に製作を行うことができ、また、既存のシャッターへの取り付けも行うことができるという効果がある。
【図面の簡単な説明】
【図１】本発明によるシャッター用施錠装置の実施の形態を示す分解斜視図
【図２】同施錠装置の一部裁断正面図
【図３】図２における  ＩＩＩ−ＩＩＩ  線断面図
【図４】同施錠装置の動作説明図
【図５】他の実施の形態を示す概略斜視図
【図６】他の実施の形態を示す概略正面図
【図７】他の実施の形態を示す概略正面図
【図８】他の実施の形態を示す概略正面図
【符号の説明】
１…施錠装置
２…スラットカーテン
３…スラット
４…スラット（幅木）
４ａ…側端
５ａ…一方の面
７…ロックバー
７ａ…先端部
７ｂ…基端部
１５…付勢部材（圧縮コイルスプリング）
１６…作動片
３０…ガイドレール
３１…係合部
【図１】
0003555268.tif 000002
【図２】
0003555268.tif 000003
【図３】
0003555268.tif 000004
【図４】
0003555268.tif 000005
【図５】
0003555268.tif 000006
【図６】
0003555268.tif 000007
【図７】
0003555268.tif 000008
【図８】
0003555268.tif 000009